(57)【要約】      （修正有）【課題】簡単な構成の冶具を用いて自分の愛用する薬剤などを背中など手の届かない部位に簡単に塗布できる冶具ならびに薬剤塗布補助具をセットで提供する。【解決手段】背中等自らの手が届かない部位に薬剤を塗布する薬剤塗布具において、少なくとも柄の片方の先端部の形状が球面状であり、これに背面に粘着剤を設けた着脱可能な薬剤塗布シートを貼り付け、薬剤塗布シートの薬剤塗布部に薬剤を塗布して使用するように構成したことを特徴とする薬剤塗布具およびこれに用いる薬剤塗布シート。【選択図】図２
0003123146.tif 000002
【実用新案登録請求の範囲】
【請求項１】
孫の手状柄の片方先端部に薬剤を装着して背中等自らの手が届かない部位に薬剤を塗布する薬剤塗布具において、少なくとも柄の片方の先端部が凸状で、背面に粘着剤、表面に薬剤塗布層を設けた着脱可能なシートを凸状部に貼り付けるように構成したことを特徴としたバック楽ちんセット。
【請求項２】
請求項１のバック楽ちんセットに使用する柄は木製、竹製、プラスチック製、金属製のいずれかであり、凸状先端部の形状が球面状であることを特徴としたバック楽ちん棒。
【請求項３】
請求項１のバック楽ちんセットおよび請求項２のバック楽ちん棒に使用する薬剤塗布シートは、紙、コットン、プラスチックシートなどの基材シートの片側にガーゼ、コットン綿などの薬剤塗布層が設けられており、裏面に粘着剤が設けられ、使用前には粘着剤及び薬剤塗布層を保護するための包装がなされていることを特徴としたバック楽ちんシート。
【考案の詳細な説明】
【技術分野】
【０００１】
本発明は、背中など手の届かない部位に他人の手を煩わせることなく薬剤等を塗りつけるための孫の手状薬剤塗布具に関するものである。
【背景技術】
【０００２】
背中など手の届かない部位に軟膏などの薬剤を塗布するには通常人の手を借りざるを得ない状況であった。これを解決するため一人で軟膏、湿布薬等を塗りつける孫の手状薬塗り具は各種のものが提案されてきた。一つには直接軟膏等の入ったチューブを孫の手の先端に取り付けるもの、またローラを先端部に設けて薬剤を塗布するもの、貼り薬も使用できる様にローラを設けたものなど各種のものが提案されてきたが未だに広く普及するに至っていない。
【０００３】
従来提案された孫の手状薬剤塗布具はローラ付きなど構成が複雑であったり、塗布、貼付のほか位置認識突起、薬剤保護カバー付きなど多用途ではあるがどうしても複雑、高価にならざるを得ず、複雑ゆえに高齢者にとっては使いづらかったり使い方によっては器具そのものによって背中に引っ掻き傷などのダメージを与えてしまう危険を伴なうものであった。
【特許文献１】特開1997-225038号公報
【特許文献２】特開1998-075986号公報
【特許文献３】特開1999-076421号公報
【特許文献４】特開1999-178933号公報
【特許文献５】特開2001-321449号公報
【特許文献６】特開2002-058749号公報
【特許文献７】特開2002-136602号公報
【特許文献８】特開2003-102774号公報
【特許文献９】特開2004-209011号公報
【特許文献１０】特開2004-209047号公報
【特許文献１１】特開2005-205131号公報
【特許文献１２】特開2005-278869号公報
【特許文献１３】特開2006-020862号公報
【特許文献１４】特開2006-034929号公報
【特許文献１５】特開2006-075563号公報
【特許文献１６】実用新案登録第3032904号公報
【特許文献１７】実用新案登録第3083807号公報
【特許文献１８】実用新案登録第3088728号公報
【特許文献１９】実用新案登録第3096652号公報
【考案の開示】
【考案が解決しようとする課題】
【０００４】
解決しようとする問題点は、簡単な構成の冶具を用いて自分の愛用する薬剤などを背中など手の届かない部位に簡単に塗布できる冶具ならびに薬剤塗布補助具をセットで開発することである。
【課題を解決するための手段】
【０００５】
本発明は、孫の手状柄の片方先端部に薬剤を装着して背中等自らの手が届かない部位に薬剤を塗布する薬剤塗布具において、少なくとも柄の片方の先端部が凸状で、背面に粘着剤、表面に薬剤塗布層を設けた着脱可能な薬剤塗布補助具を凸状部に貼り付けるように構成したことを特徴とした薬剤塗布具であり、この目的の薬剤塗布具ならびに薬剤塗布補助具はバック（背中）を楽に、爽快にしてくれるものであるからそれぞれバック楽ちん棒、バック楽ちんシートと呼称する。
【考案の効果】
【０００６】
本発明のバック楽ちんセットは、広く普及している孫の手の先端部形状を、本目的に合致するように改良を加え肌にやさしく接触する球面状とし、新たにこれに用いるのにふさわしい、背面に粘着剤、前面にガーゼやコットン綿を設けた着脱容易なバック楽ちんシートを球面にかぶせ、シートの薬剤塗布層に必要量の薬剤を塗りつけて使用するもので、使用の都度新鮮で衛生的なものを使用でき、着衣をつけたままで誰でも簡単に手の届かない部位に薬剤を塗りつけることができるようになった。
【考案を実施するための最良の形態】
【０００７】
本発明のバック楽ちんセットは薬剤塗布具としてのバック楽ちん棒ならびに薬剤塗布補助具として専用のバック楽ちんシートを使用するものであり、以下に実施態様について述べる。
【実施例１】
【０００８】
図１は、本発明のバック楽ちんセットの全体図を示し、竹製、木製、プラスチック製ないし金属製のバック楽ちん棒（柄）１の少なくとも１方の先端部２は突起部を有している。
図２は図１の先端部２の斜視図を示し、形状は球面状凸面をなしており、凸面を覆うようにバック楽ちんシート３が設けられており、バック楽ちんシート３の一方の端は先端部２のたとえば背面に接着し、他端は凸面の外側に貼り付けられている。
バック楽ちんシート３の薬剤塗布層６に軟膏などの所定薬剤を使用の都度塗りつけて使用し、使用後はバック楽ちんシート３はバック楽ちん棒１の凸状端部から剥がして捨て去ればよい。
図３にバック楽ちんシート３の断面構成を示す。
紙、コットン、プラスチックなどの基材シート５の前面に滅菌処理された新鮮なガーゼやコットン綿などの柔らかい薬剤塗布部６を有し、背面に粘着剤７が設けられて構成されている。
図４に使用前のバック楽ちんシートの一例を示す。取り扱い上、粘着剤面には剥離シートが必要であり、薬剤塗布層も衛生上保護シートが必要であり、図４ではこれらを兼務する保護シート８が図示してある。使用前は図のＡ−Ｂラインで折り曲げて保存されており、使用の際は保護シート８を剥離し、一端をたとえば端部２の凸面の外側に貼り付け、他端を凸部の下部に貼付する。図４でバック楽ちんシートの一部にくびれ（Ｃ−Ｄライン）を設けているのは図２のＣ−Ｄラインで折り曲げた時シートの両端でカドが生じるのを避けるためである。ついで軟膏などの薬剤４を凸部の薬剤塗布部６に塗りつけて使用される。
図５は竹などを折り曲げて構成した本発明で使用するバック楽ちん棒の先端部の他の形状の例を示すが、これらの形状に限られるものではなく、着衣のままで挿入し易い凸状形状であり、バック楽ちんシート３が簡単に、しっかりと貼付できかつ使用時に背中にダメージを与えることなく快適にフィットするような形状が選ばれるべきである。バック楽ちん棒１の他の先端を本来の孫の手として使用するような形状に構成しておけば、本願のバック楽ちん棒は薬剤塗布と孫の手の両方の目的を果たせるものとなる。
そもそも背中など手の届かない部位に、人手を煩わさず薬剤を自らの手で塗布するのに必要な要件は以下の通りである。（１）柄の外端から突起部の外端までの奥行きは５ｍｍ〜３５ｍｍ程度が好ましい。冬場などにも塗布したい場合が生じるから着衣のままで塗布するには、突起部があまりに出っ張ると首の背面部より背中に挿入しにくい上に、塗布した薬剤が着衣や目的箇所以外の肩や背中に付着してしまい易い。しかしあまり突起部が小さいと薬剤を塗布している部位の感触が得にくくまた薬剤を目的箇所に均一に塗布しにくい。突起部の幅は特に限定はないが通常２０〜４０ｍｍ辺りが適当である。（２）突起部は鋭利なカドがないことが必須である。突起部と反対の面は挿入時に着衣に接し易いからカドがあると着衣へのひっかかりが生じ易く対象部位へのスムーズな挿入の障害になる。また突起部側にカドがあると誤って皮膚に傷をつける恐れが生じるからである。（３）柄の長さは身長や腕の長さによって多少個人差はあるが、おおむね市販の孫の手程度すなわち４０ｃｍ前後が適切である。（４）バック楽ちんシートはしっかりと突起部に装着されていないと途中で剥がれたりすると着衣を汚す。一方薬剤塗布が終わった時点では簡単に剥がせて常に清潔、新鮮なものが簡単に使える必要があり背面粘着剤型が最適である。バック楽ちんシートに固めの基材シートを用いる場合は当然カドを極力なくしておくことが必要であり、図２および図４で述べた通り、先端突起部の形状に対応して折り曲げカドが生じないようにあらかじめシートにくびれを入れておくのが望ましい。以上の点で背面に粘着剤を設けたバック楽ちんシートを突起部を有するバック楽ちん棒に適用することによって、たいした出っ張りを作らない、カドを作らない、取り外しが容易、着衣のままで操作が可能という高齢者にとっても極めて扱い易い薬剤塗布具が実現する。
広く用いられている孫の手は背中のかゆい部位を掻くためのもので、先端部がＬ字型などの形状をしており、かゆさを軽減するためのものであるがゆえに引っ掻き効果がなければならず、すべすべした凸面形状では役にたたず、本発明のバック楽ちんシートを市販の孫の手に適用するのはふさわしくなかった。また救急絆創膏やファーストエイド製品として重宝されているたとえば商品名「バンドエイド」で知られる、絆創膏に滅菌したガーゼが貼り付けられたものは傷口を応急処置するにはふさわしいものであるが、薬剤塗布面と粘着剤面が同一面上にあるため本願目的には使用するのにはふさわしくない。一方女性が生理時に使用する目的で表面にコットンシート、背面に粘着剤が設けられたものが市販されており、薬剤塗布面と粘着剤層が反対側である点本願目的に合致しているが、あくまでも生理対策用のもので形状、サイズなど本願のすっきりシートに適用するのにはふさわしいものではなかった。
【産業上の利用可能性】
【０００９】
本発明の一方端に突部を有する孫の手状柄の先端部に、シート前面にガーゼやコットン綿を、背面に粘着剤を設けたバック楽ちんシートを装着し、これに薬剤を塗布して、自分の手の届かない部位に薬剤を塗りつけて、使用後はバック楽ちんシートを剥がして廃棄することによって、自分に必要な薬剤を常に新鮮で衛生的な状態で使用できるようになり、従来のように人の手を煩わせる必要から開放された。勿論薬剤ばかりでなく背中など手の届かない部位にローションや日焼け止めなどを塗るのにも快適に利用できることは言うまでもない。
【図面の簡単な説明】
【００１０】
【図１】本発明のバック楽ちんセットを示すものである。
【図２】図１の先端突起部２にバック楽ちんシートを設けた時の斜視図である。
【図３】本発明に使用するバック楽ちんシートの構成を示す断面図である。
【図４】本発明で使用するバック楽ちんシートの使用前の状態を示す一例である。
【図５】本発明で使用するバック楽ちん棒の先端突起部にバック楽ちんシートを貼付し、薬剤を塗布した他の例である。
【符号の説明】
【００１１】
１  バック楽ちん棒
２  バック楽ちん棒の片方の先端部
３  バック楽ちんシート
４  薬剤
５  基材シート
６  薬剤塗布部
７  粘着剤
８  剥離兼保護シート
【図１】
0003123146.tif 000003
【図２】
0003123146.tif 000004
【図３】
0003123146.tif 000005
【図４】
0003123146.tif 000006
【図５】
0003123146.tif 000007